(57)【特許請求の範囲】
【請求項１】
周囲の照度が設定値以下であるかどうかを判定する照度判定手段と、人体の有無を検知する人体検知手段と、中輝度調光時間及び100%調光時間を別々にカウントするタイマと、内蔵する照明負荷を段調光制御する照明制御装置とを備えた人体検知機能付照明装置を複数接続して構成された照明制御システムであって、
内蔵する前記人体検知手段が人体を検知していない場合でかつその周囲の照度が前記設定値より低い場合に、内蔵する前記照明負荷を低輝度点灯させ、
内蔵する前記人体検知手段が人体を検知した場合でかつその周囲の照度が前記設定値より低い場合に、100%調光時間の間、内蔵する照明負荷を100%点灯させると共に、他の所定の前記人体検知機能付照明装置に外部検知信号を送信し、
内蔵する前記人体検知手段が人体を検知していない場合でかつ他の前記人体検知機能付照明装置が出力した前記外部検知信号を受信した場合に、中輝度調光時間の間、調光率を上げ、内蔵する前記照明負荷を中輝度点灯させるように、個々の前記人体検知機能付照明装置が構成されていることを特徴とする照明制御システム。
【発明の詳細な説明】
【０００１】
【産業上の利用分野】
本発明は、複数の人体検知機能付照明装置を備えた照明制御システムに関するものである。
【０００２】
【従来の技術】
本発明は、周囲の明るさを判定すると共に、人体の有無を検知して照明負荷の自動調光制御を行う照明制御システムに関するものである。人体の有無を検知する手段としては、人の動きによる温度変化を検知する熱線センサを用いる方法が一般的であり、照明負荷の調光制御手段としては、トライアックを用いた位相制御で照明負荷の調光を行うのが一般的である。このような照明制御システムの一例としては、例えば、図６に示すものがある。図６は照明制御システムの構成を示す構成図で、図に示す照明制御システムは、人体が発する熱線を検知して人体検知信号を出力する複数の人体検知器１（子器）と、それらの人体検知器１と接続される、照度センサ（図示省略）を内蔵した親器２と、親器２に接続される複数の照明３と、交流電源４とで構成されている。
【０００３】
図６に示した照明制御システムの照明制御動作の一例を図７のフローチャートに示す。図７に示すように、照明制御システムは、親器２が内蔵する照度センサで周囲の明るさを判定して、周囲が明るい場合は全ての照明３を消灯状態とし、周囲が暗くなると全ての照明３を低輝度（約１５〜２０％  ）点灯させ、いすれかの人体検知器１が人体を検知して人体検知信号を出力すると、親器２がその人体検知信号を受信し、所定の設定時間の間、全ての照明３を１００％点灯させた後、全ての照明３を低輝度点灯の状態に戻し、周囲が明るくなった場合には、全ての照明３を消灯させるように構成されている。
【０００４】
【発明が解決しようとする課題】
しかし、図６に示したようなシステムでは、いずれかの人体検知器１で人体を検知すれば、人体を検知した位置に関係なく、全ての照明３を１００％点灯状態とするので、人の動きにあわせて所定の照明３を的確に段調光することができず、長い廊下、長い街路、展示会場など、照明制御を行わなければいけない領域が広い場合、必要以上に消費電力が大きくなるという問題点があった。
【０００５】
本発明は、上記問題点に鑑みなされたもので、その目的とするところは、人の動きに合わせて特定の照明を段調光できると共に、システム全体の消費電力の低減が図れる照明制御システムの構造を提供することにある。
【０００６】
【課題を解決するための手段】
上記目的を達成するため、本発明の照明制御システムは、周囲の照度が設定値以下であるかどうかを判定する照度判定手段と、人体の有無を検知する人体検知手段と、中輝度調光時間及び100%調光時間を別々にカウントするタイマと、内蔵する照明負荷を段調光制御する照明制御装置とを備えた人体検知機能付照明装置を複数接続して構成された照明制御システムであって、内蔵する前記人体検知手段が人体を検知していない場合でかつその周囲の照度が前記設定値より低い場合に、内蔵する前記照明負荷を低輝度点灯させ、内蔵する前記人体検知手段が人体を検知した場合でかつその周囲の照度が前記設定値より低い場合に、100%調光時間の間、内蔵する照明負荷を100%点灯させると共に、他の所定の前記人体検知機能付照明装置に外部検知信号を送信し、内蔵する前記人体検知手段が人体を検知していない場合でかつ他の前記人体検知機能付照明装置が出力した前記外部検知信号を受信した場合に、中輝度調光時間の間、調光率を上げ、内蔵する前記照明負荷を中輝度点灯させるように、個々の前記人体検知機能付照明装置が構成されていることを特徴とするものである。
【０００７】
【作用】
本発明の照明制御システムを構成する人体検知機能付照明装置は、周囲が暗く、内蔵する人体検知手段が人体を検知していない場合に、内蔵する照明負荷を低輝度点灯状態とし、周囲が暗く、内蔵する人体検知手段が人体を検知した場合に、内蔵する照明負荷を１００％点灯状態とするように構成されている。また、人体検知機能付照明装置は、内蔵する人体検知手段が出力する人体検知信号を、他の人体検知機能付照明装置に外部検知信号として送信するための出力端子と、他の人体検知機能付照明装置が出力する外部検知信号を受信するための入力端子とを備えており、外部検知信号を受信した場合に、一定の時間、調光率を上げ、内蔵する照明負荷を中輝度点灯させるように構成されている。
【０００８】
ある人体検知機能付照明装置の出力端子を、どの人体検知機能付照明装置の入力端子に接続するかは任意に設定できるように構成されており、この設定は、例えば、ある人体検知機能付照明装置が人体を検知した場合、それ以後、人がどの範囲に移動しそうであるか等を考慮して設定しておく。このように構成することにより、人の移動に合わせて必要な時に必要な範囲を適度な明るさで照らしだすことができると共に、システム全体の消費電力の低減が図れる。
【０００９】
【実施例】
図１乃至図５に基づいて本発明の照明制御システムの一実施例について説明する。図１は照明制御システムの一実施例を示す構成図、図２は人体検知機能付照明装置の一実施例を示すブロック図、図３は人体検知機能付照明装置の照明制御動作の一実施例を示すフローチャート、図４及び図５は、それぞれ、所定動作時の人体検知機能付照明装置の各信号を示すタイミングチャートである。
【００１０】
まず、図２に基づいて人体検知機能付照明装置の一実施例について説明する。図２は、人体検知機能付照明装置の構成を示すブロック図である。図で、５は人体の有無を検知する人体検知手段で、人体検知手段５は、熱線センサ６、増幅器７、コンパレータ８で構成されており、人体が発する熱線を熱線センサ６で検知し、その出力を増幅器７及びコンパレータ８で波形整形して、制御回路９に人体検知信号ａを出力するように構成されている。
【００１１】
１０は照明負荷、１１は、トライアック用トリガ信号ｂを出力する調光回路１２と、そのトライアック用トリガ信号ｂを入力して照明負荷１０を駆動する駆動回路１３とで構成された、照明負荷１０を段調光制御する照明制御装置で、制御回路９が出力する制御信号ｃを入力した場合に、予め設定された調光率１５％  で調光動作を行い、制御信号ｃが入力されない場合は、照明負荷１０を消灯状態とするように、また、後述する調光率設定信号を入力している間、調光率を３０％  に上げるように構成されている。
【００１２】
１４は２種類の設定時間（調光率を３０％  に上げるために制御回路９が調光率設定信号を出力している時間（  ３０％調光時間）、及び、照明負荷１０を１００％点灯させるために１００％点灯信号ｄを制御回路９が出力している時間（１００％調光時間））を別々にカウントするタイマ、１５は交流電源のゼロクロスを検知してゼロクロス検知信号ｅを制御回路９に出力するゼロクロス検知回路である。
【００１３】
制御回路９は、人体検知手段５が出力する人体検知信号ａを、他の人体検知機能付照明装置に外部検知信号ｆとして送信するための出力端子Ａと、他の人体検知機能付照明装置から外部検知信号ｇを受信するための入力端子Ｂとを備えており、外部検知信号ｇを受信すると、調光回路１２に調光率設定信号ｈを出力して、調光回路１２の調光率設定を  ３０％に上げ、予め設定された  ３０％調光時間の間、照明負荷１０を中輝度点灯（３０％  点灯）させるように構成されている。
【００１４】
また、制御回路９は、周囲の照度が設定値以下であると、照度センサ１６（照度判定手段）が判定し、その旨の照度判定信号ｉを制御回路９に出力した場合に、制御信号ｃを調光回路１２に出力して、予め設定された調光率１５％  で、照明負荷１０を低輝度点灯させる。
【００１５】
さらに、制御回路９は、人体検知手段５が人体を検知して出力する人体検知信号ａを入力すると共に、照度センサ１６が出力する、周囲の照度が設定値以下である旨の照度判定信号ｉを入力した場合、調光回路１２に１００％点灯信号ｄを、予め設定された１００％調光時間の間出力し、照明負荷１０を  １００％  点灯させる。
【００１６】
以上に説明した人体検知機能付照明装置の動作を、図３のフローチャートに基づいて詳細に説明する。人体検知機能付照明装置は、図３のフローチャートの（ａ）〜（ｆ）に対応した、以下の（ａ）〜（ｆ）に示す各動作を行うように構成されている。
【００１７】
（ａ）照度センサ１６が、周囲の照度が設定値以下になった旨の照度判定信号ｉを制御回路９に出力した場合、制御回路９は、調光回路１２に、制御信号ｃを出力し、内蔵する照明負荷１０を低輝度点灯（１５％  点灯）させる。
【００１８】
（ｂ）照度センサ１６が、周囲の照度が設定値を越えた旨の照度判定信号ｉを制御回路９に出力した場合、制御回路９は、調光回路１２への制御信号ｃの出力を中止して、内蔵する照明負荷１０を消灯状態とする。
【００１９】
（ｃ）照度センサ１６が、周囲の照度が設定値以下になった旨の照度判定信号ｉを制御回路９に出力し、照明負荷１０が低輝度点灯（１５％  点灯）している状態で、他の人体検知機能付照明装置から外部検知信号ｇを受信した場合、制御回路９は、調光回路１２に、調光率設定信号ｈを出力し、調光回路１２の調光率設定を  ３０％に上げ、内蔵する照明負荷１０を、３０％  調光時間の間、中輝度点灯（３０％  点灯）させる。中輝度点灯（３０％  点灯）状態で、さらに、外部検知信号ｇを受信した場合は、その時点から再び３０％  調光時間のカウントが開始される。
【００２０】
（ｄ）照度センサ１６が、周囲の照度が設定値以下になった旨の照度判定信号ｉを制御回路９に出力し、人体検知手段５が人体を検知して人体検知信号ａを制御回路９に出力した場合、制御回路９は、調光回路１２に、１００％点灯信号ｄを出力し、１００％調光時間の間、内蔵する照明負荷１０を１００％点灯させる。１００％点灯状態で、さらに、内蔵する人体検知手段５が人体を検知した場合は、その時点から再び１００％調光時間のカウントが開始される。
【００２１】
（ｅ）照度センサ１６が、周囲の照度が設定値以下になった旨の照度判定信号ｉを制御回路９に出力し、他の人体検知機能付照明装置が出力する外部検知信号ｇを受信し、制御回路９が、調光回路１２に、調光率設定信号ｈを出力し、調光回路１２の調光率設定を３０％  に上げ、内蔵する照明負荷１０を中輝度点灯（３０％  点灯）させている状態で、人体検知手段５が人体を検知して人体検知信号ａを制御回路９に出力した場合、制御回路９は、調光回路１２に、１００％点灯信号ｄを出力し１００％調光時間の間、内蔵する照明負荷１０を１００％点灯させる。さらに、１００％調光時間が経過した時点で、制御回路９から１００％点灯信号ｄは出力されなくなり、この時点で、すでに、３０％  調光時間が経過していた場合、内蔵する照明負荷１０は低輝度点灯（１５％  点灯）の状態に戻る。
【００２２】
（ｆ）照度センサ１６が、周囲の照度が設定値以下になった旨の照度判定信号ｉを制御回路９に出力し、他の人体検知機能付照明装置から外部検知信号ｇを受信し、制御回路９が、調光回路１２に、調光率設定信号ｈを出力し、調光回路１２の調光率設定を３０％  に上げ、内蔵する照明負荷１０を中輝度点灯（３０％  点灯）させている状態で、人体検知手段５が人体を検知して人体検知信号ａを制御回路９に出力した場合、制御回路９は、調光回路１２に、１００％点灯信号ｄを出力し１００％調光時間の間、内蔵する照明負荷１０を１００％点灯させる。その後、１００％調光時間が経過した時点で、制御回路９から１００％点灯信号ｄは出力されなくなり、この時点で、まだ、３０％  調光時間が経過していない場合、内蔵する照明負荷１０は、中輝度点灯（３０％  点灯）の状態に戻り、３０％  調光時間が経過した後、低輝度点灯（１５％  点灯）状態に戻る。但し、この場合、３０％  調光時間は、１つの外部検知信号ｇによる３０％  調光時間だけでなく、１００％調光時間中に、再び、外部検知信号ｇを受信した場合に発生する３０％  調光時間等も含まれる。
【００２３】
次に、以上に説明した動作のうち、（ｅ）、（ｆ）に示した動作時の人体検知機能付照明装置の各信号を、それぞれ、図４、図５のタイミングチャートに基づいて説明する。図４及び図５のタイミングチャートは、人体検知手段５が出力する人体検知信号ａ、他の人体検知機能付照明装置から受信した外部検知信号ｇ、照度センサ１６が出力する照度判定信号ｉ、制御回路９が調光回路１２に出力する、調光率設定信号ｈ及び１００％点灯信号ｄ、ゼロクロス検知回路１５が制御回路９に出力するゼロクロス検知信号ｅ、調光回路１２が駆動回路１３に出力するトライアック用トリガ信号ｂ、照明負荷１０の点灯状態を示す照明調光率ｊ、ＡＣ入力ｋの信号を示したものである。
【００２４】
まず、図４に示すように、照度センサ１６が制御回路９に、時刻ｔ１の時点で、周囲の照度が設定値以下になった旨の照度判定信号ｉを出力すると、制御回路９が調光回路１２に制御信号ｃ（図示省略）を出力するので、ゼロクロス検知信号ｅの立ち上がり（時刻ｔ２）に合わせて照明調光率ｊは、０％から予め設定された低輝度点灯状態の調光率である１５％  に変化する。次に、他の人体検知機能付照明装置から受信した外部検知信号ｇの立ち上がり（時刻ｔ３）で、制御回路９から調光回路１２に、調光率設定信号ｈが出力され、調光回路１２の調光率設定は３０％  に上がる。その後、ゼロクロス検知信号ｅの立ち上がり（時刻ｔ４）に合わせて照明調光率ｊは１５％  から中輝度点灯状態の調光率である３０％  に変化する。
【００２５】
次に、３０％  調光時間Ｈ１が経過する前の、時刻ｔ５の時点で、内蔵する人体検知手段５が人体を検知して制御回路９に人体検知信号ａを出力するので、制御回路９は、調光回路１２に、１００％点灯信号ｄを出力する。これにより、ゼロクロス検知信号ｅの立ち上がり（時刻ｔ６）の時点で、照明調光率ｊは、３０％  から１００％に変化する。その後、３０％  調光時間Ｈ１が経過した時点（時刻ｔ７）で、制御回路９から調光率設定信号ｈが出力されなくなるので、調光回路１２の調光率設定は１５％  に戻る。さらに、１００％点灯時間Ｈ２が経過した時点（時刻ｔ８）で、制御回路９から１００％点灯信号ｄは出力されなくなるので、ゼロクロス検知信号ｅの立ち下がり（時刻ｔ９）に合わせて照明調光率ｊは、１００％から低輝度点灯状態の調光率である１５％  に変化する。
【００２６】
次に、図５に基づいて、（ｆ）に示した動作時の各信号の状態を説明する。この場合、周囲は既に暗い状態で、照明負荷１０は低輝度点灯状態（１５％  点灯状態）である。まず、他の人体検知機能付照明装置から受信した外部検知信号ｇの立ち上がり時点（時刻ｔ１０  ）で、制御回路９から調光回路１２に、３０％  調光時間Ｈ３の間、調光率設定信号ｈが出力され、調光回路１２の調光率設定が３０％  に上がる。その後、ゼロクロス検知信号ｅの立ち上がり（時刻ｔ１１  ）に合わせて、照明調光率ｊは  １５％から中輝度点灯状態の調光率である３０％  に変化する。次に、３０％  調光時間Ｈ３が経過する前の、時刻ｔ１２  の時点で、内蔵する人体検知手段５が人体を検知して制御回路９に人体検知信号ａを出力するので、制御回路９は、調光回路１２に１００％点灯信号ｄを出力し、ゼロクロス検知信号ｅの立ち上がり（時刻ｔ１３  ）に合わせて照明調光率ｊは、３０％  から１００％に変化する。その後、時刻ｔ１４  の時点で、制御回路９から調光率設定信号ｈは出力されなくなるので、調光回路１２の調光率設定は、一旦、１５％  に戻るが、１００％調光時間Ｈ４が経過する前に、再び、外部検知信号ｇを、時刻ｔ１５  の時点で受信するので、調光率設定信号ｈが制御回路９から調光回路１２に出力されて調光回路１２の調光率設定は、再び、３０％  になる。
【００２７】
その後、時刻ｔ１６  の時点で、制御回路９から１００％点灯信号ｄは出力されなくなるので、ゼロクロス検知信号ｅの立ち下がり（時刻ｔ１７  ）に合わせて照明調光率ｊは、１００％から中輝度点灯状態の調光率である３０％  に変化する。この場合、時刻ｔ１７  の時点では、まだ、２度目に受信した外部検知信号ｇの入力時点（時刻ｔ１５  ）から３０％  調光時間Ｈ５が経過していないので、照明調光率ｊは１００％から中輝度点灯状態の調光率である３０％  に変化する。
【００２８】
その後、時刻ｔ１８  の時点で、制御回路９から調光率設定信号ｈは出力されなくなるので、調光回路１２の調光率設定は１５％  に戻り、ゼロクロス検知信号ｅの立ち上がり（時刻ｔ１９  ）に合わせて照明調光率ｊは  ３０％から低輝度点灯状態の調光率である１５％  に変化する。さらに、時刻ｔ２０  の時点で、照度センサ１６が制御回路９に出力する照度判定信号ｉは、周囲の照度が所定の設定値を越えた旨の信号となり、制御回路９から調光回路１２に制御信号ｃは出力されなくなるので、ゼロクロス検知信号ｅの立ち上がり（時刻ｔ２１  ）に合わせて照明調光率ｊは  １５％から０％（消灯状態）に変化する。
【００２９】
次に、図１に基づいて本発明の照明制御システムの一実施例について説明する。図１に示す照明制御システムは、図２に示した人体検知機能付照明装置を複数互いに接続して構成されたものであるが、図１では、隣接する５つの人体検知機能付照明装置で照明制御システムが構成されているとして説明する。
【００３０】
図１で、Ｃ１〜Ｃ５は人体検知機能付照明装置で、それぞれ、熱線センサ６と、照明負荷１０と、熱線センサ６から出力される人体検知信号ａを、外部検知信号ｆとして、他の人体検知機能付照明装置に送信するための出力端子Ａと、他の人体検知機能付照明装置からの外部検知信号ｇを受信するための入力端子Ｂとを備えている。
【００３１】
図１で、人体検知機能付照明装置Ｃ３の出力端子Ａは、人体検知機能付照明装置Ｃ２，Ｃ４の入力端子Ｂに接続されている。同様に、人体検知機能付照明装置Ｃ１の出力端子Ａは、人体検知機能付照明装置Ｃ２の入力端子Ｂに、人体検知機能付照明装置Ｃ５の出力端子Ａは、人体検知機能付照明装置Ｃ４の入力端子Ｂに、人体検知機能付照明装置Ｃ２の出力端子Ａは、人体検知機能付照明装置Ｃ１，Ｃ３の入力端子Ｂに、人体検知機能付照明装置Ｃ４の出力端子Ａは、人体検知機能付照明装置Ｃ３，Ｃ５の入力端子Ｂに、それぞれ接続されている。
【００３２】
次に、図１に基づいて、人体検知機能付照明装置Ｃ３に内蔵された熱線センサ６が人を検知した場合に、各人体検知機能付照明装置が、どのように動作するかを説明する。但し、人体検知機能付照明装置Ｃ１〜Ｃ５の周囲は暗い状態（照度が設定値以下の状態）であるとする。
【００３３】
まず、内蔵する熱線センサ６で人体を検知した人体検知機能付照明装置Ｃ３は、内蔵する照明負荷１０を１００％点灯させると共に、出力端子Ａから外部検知信号ｆを、隣接する人体検知機能付照明装置Ｃ２，Ｃ４の入力端子Ｂに出力する。その外部検知信号ｆを外部検知信号ｇとして受信した人体検知機能付照明装置Ｃ２，Ｃ４は、それぞれ、調光率を１５％  から３０％  に上げて、内蔵する照明負荷１０を中輝度点灯（３０％  点灯）させ、人が移動してくるのを待つ。人体検知機能付照明装置Ｃ１，Ｃ５は、人体検知機能付照明装置Ｃ３が出力する外部検知信号ｆを受信するように接続されていないので、人体検知機能付照明装置Ｃ３に内蔵された熱線センサ６が人体を検知したかどうかにかかわらず、人体検知機能付照明装置Ｃ１，Ｃ５に内蔵された照明負荷１０は低輝度点灯（１５％  点灯）状態のままである。
【００３４】
なお、人体検知機能付照明装置の構成、調光率、人体検知機能付照明装置同士の接続方法は実施例に限定されない。また、実施例では、３段階に段調光する例を示したが、外部検知信号を入力する入力端子の数、または、外部検知信号を出力する出力端子の数を増やし、それらの端子に対応して調光率を複数設定し、さらに段数の多い調光制御を行うように構成してもよい。
【００３５】
【発明の効果】
本発明の照明制御システムによれば、人体検知機能付照明装置が人体を検知して出力する外部検知信号を、他のどの人体検知機能付照明装置に送信するか（外部検知信号の送信範囲）をユーザーの要求に合わせて設定することにより、人の移動しそうな照明制御範囲を、他の照明制御範囲より高輝度で照らすことができ、人の移動に合わせて必要な時に必要な範囲を適度な明るさで照らしだすことができると共に、全照明負荷を１００％点灯させる場合に比べてシステム全体の消費電力の低減が図れる。
【００３６】
また、本発明の照明制御システムは、人の位置に合わせて所定の照明負荷を制御できるので、展示会場等の誘導灯として用いることもできる。さらに、多段調光が可能なので、種々の演出にも応用することができる。
【図面の簡単な説明】
【図１】本発明の照明制御システムの一実施例を示す構成図である。
【図２】本発明の照明制御システムを構成する人体検知機能付照明装置の一実施例を示すブロック図である。
【図３】本発明の照明制御システムを構成する人体検知機能付照明装置の照明制御動作の一実施例を示すフローチャートである。
【図４】本発明の照明制御システムを構成する人体検知機能付照明装置の各信号を示すタイミングチャートである。
【図５】本発明の照明制御システムを構成する人体検知機能付照明装置の各信号を示すタイミングチャートである。
【図６】従来の照明制御システムの一例を示す構成図である。
【図７】従来の照明制御システムの照明制御動作の一例を示すフローチャートである。
【符号の説明】
５                人体検知手段
１０              照明負荷
１１              照明制御装置
１６              照度センサ（照度判定手段）
Ｃ１〜Ｃ５        人体検知機能付照明装置
【図１】
0003586922.tif 000002
【図２】
0003586922.tif 000003
【図３】
0003586922.tif 000004
【図４】
0003586922.tif 000005
【図５】
0003586922.tif 000006
【図６】
0003586922.tif 000007
【図７】
0003586922.tif 000008